(57)【要約】【課題】  光トランシーバ間で、データ通信に先立って伝送速度、データフォーマットおよび伝送フォーマットを調整して通信を開始する。【解決手段】  各光トランシーバに接続される外部インタフェースからベースバンド信号の伝送速度およびデータフォーマットに関する情報を取得し、外部インタフェースの情報に基づいて、光トランシーバ間の伝送速度および伝送フォーマットを設定した試験用信号を送受信し、試験用信号の送信に用いた伝送速度と受信した試験用信号の伝送速度の比較により伝送速度を設定し、試験用信号の誤り検出を行い、それに応じて推定される伝送路状態に対応する伝送フォーマットを設定し、伝送速度および伝送フォーマットの確定後に、データフォーマットに関する情報を送受信してデータフォーマットを確定し、通信を開始する。【選択図】        図３
2005229298.tif 000002
【特許請求の範囲】
【請求項１】
光ファイバ伝送路を介して対向する光トランシーバ間で、データ通信に先立って伝送速度、データフォーマットおよび伝送フォーマットを調整して通信を行う光通信方法において、
各光トランシーバに接続される外部インタフェースからベースバンド信号の伝送速度およびデータフォーマットに関する情報を取得し、
前記外部インタフェースの情報に基づいて、前記光トランシーバ間の伝送速度および伝送フォーマットを設定した試験用信号を送受信し、
前記試験用信号の送信に用いた伝送速度と受信した試験用信号の伝送速度の比較により伝送速度を設定し、
前記試験用信号の誤り検出を行い、それに応じて推定される伝送路状態に対応する伝送フォーマットを設定し、
前記伝送速度および前記伝送フォーマットの確定後に、データフォーマットに関する情報を送受信してデータフォーマットを確定し、通信を開始する
ことを特徴とする光通信方法。
【請求項２】
光ファイバ伝送路を介して対向する光トランシーバ間で、伝送速度、データフォーマットおよび伝送フォーマットを調整して通信を行う光通信方法において、
前記光トランシーバの一方にすでに伝送速度および伝送フォーマットが設定されているときに、その伝送速度および伝送フォーマットを同定し、さらに外部インタフェースのデータフォーマットを同定して通信を開始する
ことを特徴とする光通信方法。
【請求項３】
請求項１に記載の光通信方法において、
前記光トランシーバに設定可能な最大の伝送速度以下のチップレートでベースバンド信号をスペクトル拡散して送信し、受信側で逆拡散を行ってベースバンド信号を復元する伝送フォーマットを用いることを特徴とする光通信方法。
【請求項４】
請求項１に記載の光通信方法において、
前記ベースバンド信号を複数ビット単位で複数回繰り返し送信し、受信側で繰り返しのサンプル値の識別結果を加算し、その加算結果を閾値判定により各ビットを判定してベースバンド信号を復元する伝送フォーマットを用いることを特徴とする光通信方法。
【請求項５】
請求項１に記載の光通信方法において、
前記光トランシーバに設定可能な最大の伝送速度と前記ベースバンド信号の伝送速度の比以下の符号化率でベースバンド信号を誤り訂正符号化して送信し、受信側で復号してベースバンド信号を復元する伝送フォーマットを用いることを特徴とする光通信方法。
【請求項６】
請求項３に記載の光通信方法において、
前記ベースバンド信号を直並列変換し、各成分ごとに独立にスペクトル拡散する伝送フォーマットを用いることを特徴とする光通信方法。
【請求項７】
請求項５に記載の光通信方法において、
前記ベースバンド信号を直並列変換し、各成分ごとに独立に誤り訂正符号化する伝送フォーマットを用いることを特徴とする光通信方法。
【請求項８】
光ファイバ伝送路を介して対向し、データ通信に先立って伝送速度、データフォーマットおよび伝送フォーマットを調整して通信を行う光トランシーバにおいて、
接続される外部インタフェースからベースバンド信号の伝送速度およびデータフォーマットに関する情報を取得する手段と、
前記外部インタフェースの情報に基づいて、伝送速度および伝送フォーマットを設定した試験用信号を送受信する手段と、
前記試験用信号の送信に用いた伝送速度と受信した試験用信号の伝送速度の比較により伝送速度を設定する手段と、
前記試験用信号の誤り検出を行い、それに応じて推定される伝送路状態に対応する伝送フォーマットを設定する手段と、
前記伝送速度および前記伝送フォーマットの確定後に、データフォーマットに関する情報を送受信してデータフォーマットを確定し、通信を開始する手段と
を備えたことを特徴とする光トランシーバ。
【発明の詳細な説明】
【技術分野】
【０００１】
本発明は、複数の伝送速度、データフォーマットおよび伝送フォーマットに対応する光通信方法および光トランシーバに関する。
【背景技術】
【０００２】
現在、主に企業ＬＡＮ系で用いられているイーサネット（登録商標）やファイバチャネル等の光伝送システムは、従来の電気配線による伝送よりも大容量で長距離の伝送を可能にしている。この光伝送システムに用いられる光トランシーバは、固定のビットレートかつ固定の伝送フォーマットのものであり、各光伝送システムごとに特定の光トランシーバを用いる必要がある。ただし、光信号の送受信を行う物理インタフェースには、挿抜可能なモジュール（Gigabit Interface Converter(GBIC) 、Small Form Factor Pluggable(SFP)) が普及しており、使用波長や伝送可能距離はこれらのモジュールの交換で容易に変更可能になっている。なお、これらのモジュールは、リタイミング動作を含まない２Ｒ構成のため、複数のビットレートに容易に対応可能である（非特許文献１，２）。
【０００３】
一方、従来の電気配線によるイーサネット（登録商標）では、10Ｍbit/s 、100Ｍbit/s、1000Ｍbit/s のインタフェースを自動的に識別して接続する技術（オートネゴシエーション）が普及しており（非特許文献３）、伝送速度やケーブル種別を気にすることなくＬＡＮを構築することが可能になっている。
【非特許文献１】http://www.schelto.com/t11＿2/GBIC/gbic.htm
【非特許文献２】http://www.schelto.com/SFP/index.html
【非特許文献３】IEEE Std.802.3, 2000 edition, Chap.28.
【発明の開示】
【発明が解決しようとする課題】
【０００４】
イーサネット（登録商標）における光インタフェースは、現状ではギガビットイーサネット（登録商標）ＧｂＥに関するものがほとんどであり、複数の速度に対する要求は少ない。しかし、10ギガビットイーサネット（登録商標）が普及してくると、複数の速度に単一のインタフェースで対応する要求が予想される。また、現在実用化されているアクセス系の光通信システムでは、100 メガビットイーサネット（登録商標）が用いられているが、ギガビットクラスの高速化についての検討も進められている。また、将来のアクセス系の高速化において、損失や分散等の影響で十分な伝送ができない場合に、速度を落として伝送する必要も生ずる。したがって、光伝送システムにおいても複数の伝送速度に対応する電気配線のオートネゴシエーションに相当する機能が必要である。
【０００５】
また、伝送路中のファイバ接続点等において多重反射が存在する場合には、同一波長のクロストークとなる。特に、主信号と反射波の干渉によって生ずるコヒーレントクロストークは、マーク信号受信時に大きなレベル変動を与えるため、マーク・スペースに非対称な誤りが生じることが報告されている（J.L.Gimlett and N.K.Cheung,"Effects of phase-to-intensity noise conversion by multiple reflections on gigabit-per-second DFB laser transmission systems", IEEE J.Lightwave Technol.,vol.7,pp.888-895, 1989) 。この点は、特に接続点の状態があまりよくないアクセス系やＬＡＮ系に光伝送システムを展開する際に問題となり、複数の伝送速度に対応する機能が必要になる。
【０００６】
さらに、将来はイーサネット（登録商標）以外のファイバチャネルやIEEE1394といったイーサネット（登録商標）と同じファイバケーブルの使用が可能な他の光インタフェースの普及も想定される。このとき、各インタフェースを気にせずに接続できる環境は、ネットワーク資源の有効利用やネットワーク構築の容易さの点で重要である。
【０００７】
本発明は、以上示したような課題に対応し、複数の伝送速度、データフォーマットおよび伝送フォーマットに対応する簡易な光通信方法および光トランシーバを提供することを目的とする。
【課題を解決するための手段】
【０００８】
請求項１に記載の発明は、光ファイバ伝送路を介して対向する光トランシーバ間で、データ通信に先立って伝送速度、データフォーマットおよび伝送フォーマットを調整して通信を行う光通信方法において、各光トランシーバに接続される外部インタフェースからベースバンド信号の伝送速度およびデータフォーマットに関する情報を取得し、外部インタフェースの情報に基づいて、光トランシーバ間の伝送速度および伝送フォーマットを設定した試験用信号を送受信し、試験用信号の送信に用いた伝送速度と受信した試験用信号の伝送速度の比較により伝送速度を設定し、試験用信号の誤り検出を行い、それに応じて推定される伝送路状態に対応する伝送フォーマットを設定し、伝送速度および伝送フォーマットの確定後に、データフォーマットに関する情報を送受信してデータフォーマットを確定し、通信を開始する。
【０００９】
ここで、伝送フォーマットとして、光トランシーバに設定可能な最大の伝送速度以下のチップレートでベースバンド信号をスペクトル拡散して送信し、受信側で逆拡散を行ってベースバンド信号を復元する伝送フォーマットを用いる（請求項３）。なお、ベースバンド信号を直並列変換し、各成分ごとに独立にスペクトル拡散するようにしてもよい（請求項６）。
【００１０】
また、ベースバンド信号を複数ビット単位で複数回繰り返し送信し、受信側で繰り返しのサンプル値の識別結果を加算し、その加算結果を閾値判定により各ビットを判定してベースバンド信号を復元する伝送フォーマットを用いる（請求項４）。
【００１１】
また、光トランシーバに設定可能な最大の伝送速度とベースバンド信号の伝送速度の比以下の符号化率でベースバンド信号を誤り訂正符号化して送信し、受信側で復号してベースバンド信号を復元する伝送フォーマットを用いる（請求項５）。なお、ベースバンド信号を直並列変換し、各成分ごとに独立に誤り訂正符号化してもよい（請求項７）。
【００１２】
請求項２に記載の光通信方法は、光ファイバ伝送路を介して対向する光トランシーバ間で、伝送速度、データフォーマットおよび伝送フォーマットを調整して通信を行う光通信方法において、光トランシーバの一方にすでに伝送速度および伝送フォーマットが設定されているときに、その伝送速度および伝送フォーマットを同定し、さらに外部インタフェースのデータフォーマットを同定して通信を開始する。
【００１３】
請求項８に記載の発明は、光ファイバ伝送路を介して対向し、データ通信に先立って伝送速度、データフォーマットおよび伝送フォーマットを調整して通信を行う光トランシーバにおいて、接続される外部インタフェースからベースバンド信号の伝送速度およびデータフォーマットに関する情報を取得する手段と、外部インタフェースの情報に基づいて、伝送速度および伝送フォーマットを設定した試験用信号を送受信する手段と、試験用信号の送信に用いた伝送速度と受信した試験用信号の伝送速度の比較により伝送速度を設定する手段と、試験用信号の誤り検出を行い、それに応じて推定される伝送路状態に対応する伝送フォーマットを設定する手段と、伝送速度および伝送フォーマットの確定後に、データフォーマットに関する情報を送受信してデータフォーマットを確定し、通信を開始する手段とを備える。
【発明の効果】
【００１４】
本発明の光通信方法および光トランシーバは、単一の物理インタフェースによる簡単な構成で、複数の伝送速度、伝送フォーマットおよびデータフォーマットに対応して通信を行うことができる。
【００１５】
また、光ファイバ伝送路のファイバ接続点等で反射が存在する場合のクロストークによる影響を低減するために、あらかじめ用意された複数の伝送フォーマットから適宜選択することが可能となり、高品質の通信を可能にすることができる。
【発明を実施するための最良の形態】
【００１６】
（光トランシーバの実施形態）
図１は、本発明の光トランシーバの実施形態の示す。図において、光トランシーバ１００は、光ファイバ伝送路２００を介して対向する光トランシーバ１００（３００）との光信号の送受信処理を行う物理インタフェース１１０と、外部回路（例えばユーザ端末）との接続処理を行う外部インタフェース１４０と、外部インタフェース１４０から入力するベースバンド信号を処理して物理インタフェース１１０に出力する送信信号処理回路１２０と、物理インタフェース１１０で受信再生された受信信号を処理して外部インタフェース１４０に出力する受信信号処理回路１３０と、対向する光トランシーバとの間の伝送方法を制御する伝送方法制御回路１５０とを備える。なお、図１(b) に示す光トランシーバ３００は、伝送速度および伝送フォーマットが固定になっているもので、光トランシーバ１００側でそのインタフェースに合わせることになるが、これについては光通信方法の第２の実施形態として説明する。
【００１７】
図２は、物理インタフェース１１０、送信信号処理回路１２０、受信信号処理回路１３０の構成例を示す。図において、送信信号処理回路１２０は、複数の伝送速度およびデータフォーマットに対応するデータフォーマット処理部１２２−１〜１２２−ｎと、複数の伝送速度および伝送フォーマットに対応する伝送フォーマット処理部１２４−１〜１２４−ｍを備え、その組み合わせを切替部１２１，１２３，１２５により切り替える構成である。受信信号処理回路１３０は、複数の伝送速度および伝送フォーマットに対応する伝送フォーマット処理部１３２−１〜１３２−ｍと、複数の伝送速度およびデータフォーマットに対応するデータフォーマット処理部１３４−１〜１３４−ｎを備え、その組み合わせを切替部１３１，１３３，１３５により切り替える構成である。
【００１８】
送信信号処理回路１２０で処理された送信信号は、物理インタフェース１１０のレーザドライバ１１１を介して光源１１２に入力されて光信号に変換され、光ファイバ伝送路２００へ送出される。光ファイバ伝送路２００から入力する光信号は受光器１１３で電気信号に変換され、可変レートクロックデータ再生回路１１４で再生された受信信号が受信信号処理回路１３０に送出される。
【００１９】
伝送方法制御回路１５０は、可変レートクロックデータ再生回路１１４にクロック速度を設定するとともに、外部インタフェース１４０および可変レートクロックデータ再生回路１１４で得られる情報により、切替部１２１，１２３，１２５および切替部１３１，１３３，１３５の切り替え設定を行う。
【００２０】
（光通信方法の第１の実施形態）
図１(a) の光トランシーバの構成に基づき、本発明の光通信方法の第１の実施形態（伝送方法設定手順）について、図３に示すフローチャートを参照して説明する。
【００２１】
光トランシーバの外部インタフェース１４０は、接続されたインタフェースから得られるベースバンドのデータフォーマットと伝送速度を認識し、その情報を伝送方法制御回路１５０に伝達する（Ｓ１）。伝送方法制御回路１５０は、そのデータフォーマットと伝送速度の情報に基づいて送信信号処理回路１２０の切替部１２１を切り替え、対応するデータフォーマット処理部１２２−１〜１２２−ｎの１つと外部インタフェース１４０を接続する（Ｓ２）。同様に、受信信号処理回路１３０の切替部１３５を切り替え、対応するデータフォーマット処理部１３２−１〜１３２−ｍの１つと外部インタフェース１４０を接続する（Ｓ２）。なお、送信信号処理回路１２０および受信信号処理回路１３０の各データフォーマット制御部は、同じ伝送速度およびデータフォーマットに対応するものが選択される。
【００２２】
さらに、伝送方法制御回路１５０は、外部インタフェース１４０から得られたベースバンドの伝送速度の情報に基づいて送信信号処理回路１２０の切替部１２５を切り替え、対応する伝送フォーマット処理部１２４−１〜１２４−ｍの１つ（伝送フォーマットは任意）を物理インタフェース１１０に接続する（Ｓ３）。同様に、受信信号処理回路１３０の切替部１３１を切り替え、対応する伝送フォーマット処理部１３２−１〜１３２−ｍの１つ（伝送フォーマットは任意）を物理インタフェース１１０に接続する（Ｓ３）。なお、送信信号処理回路１２０および受信信号処理回路１３０の各伝送フォーマット制御部は、同じ伝送速度および伝送フォーマットに対応するものが選択される。
【００２３】
次に、伝送方法制御回路１５０は、物理インタフェース１１０の可変レートクロックデータ再生回路１１４に対して、まず外部インタフェース１４０から得られた伝送速度に対応するクロック速度を設定する（Ｓ４）。
【００２４】
次に、伝送方法制御回路１５０は、伝送フォーマット処理部１２４−１〜１２４−ｍの１つから、対応する伝送速度の試験用信号を物理インタフェース１１０へ出力させ、光信号に変換して光ファイバ伝送路２００へ送信する。一方、対向する光トランシーバから送信された試験用信号は、受光器１１３を介して可変レートクロックデータ再生回路１１４に受信され、試験用信号の同期確立処理により伝送速度が確認される（Ｓ５，Ｓ６）。同期しない場合には、送受間で初期設定した伝送速度が異なっていると判断し、送信信号処理回路１２０の切替部１２５および受信信号処理回路１３０の切替部１３１を切り替え、伝送フォーマット処理部１２４−１〜１２４−ｍおよび１３２−１〜１３２−ｍの中から別の伝送速度のものを接続し、試験用信号の伝送速度を順次切り替えて同様の処理を繰り返す（Ｓ４，Ｓ５，Ｓ６，Ｓ７，Ｓ８，Ｓ４）。すべての伝送速度に切り替えても同期が確立しない場合は、伝送不可として接続処理を停止する（Ｓ６，Ｓ７，Ｓ９）。
【００２５】
一方、可変レートクロックデータ再生回路１１４でいずれかの伝送速度においてクロック同期がとれると、次に伝送フォーマットを確認するために試験用信号の誤りが判定され（Ｓ６，Ｓ10）、試験用信号が誤りなく再生されたことが伝送方法制御回路１５０に通知されると、確定した伝送フォーマットによりデータフォーマットに関する情報を送受信する（Ｓ11）。ここで、試験用信号に誤りがあれば、伝送方法制御回路１５０は同じ伝送速度における他の伝送フォーマットに切り替えるために、送信信号処理回路１２０の切替部１２５および受信信号処理回路１３０の切替部１３１を切り替え、伝送フォーマット処理部１２４−１〜１２４−ｍの伝送フォーマットを順次変更しながら同様の処理を繰り返す（Ｓ10，Ｓ12，Ｓ13，Ｓ10）。すべての伝送フォーマットに切り替えても誤りが発生する場合は、伝送フォーマットが確認できず伝送不可として接続処理を停止する（Ｓ10，Ｓ12，Ｓ14）。
【００２６】
次に、Ｓ10までの処理で伝送速度および伝送フォーマットが確定した後に、データフォーマットに関する情報を送受信してその相違を確認し（Ｓ11，Ｓ15）、相違がなければ送信信号処理回路１２０の切替部１２３および受信信号処理回路１３０の切替部１３３を切り替え、対応するデータフォーマット処理部１２２−１〜１２２−ｎの１つと伝送フォーマット処理部１２４−１〜１２４−ｍの１つを接続し、対応する伝送フォーマット処理部１３２−１〜１３２−ｍの１つとデータフォーマット処理部１３４−１〜１３４−ｎの１つを接続し、通信を開始する（Ｓ16，Ｓ17）。また、送受信されるデータフォーマットに相違があれば、伝送不可として接続処理を停止する（Ｓ15，Ｓ14）。
【００２７】
（伝送フォーマット処理部の構成例）
伝送フォーマット処理部は、各伝送速度ごとに、例えば次に示すスペクトル拡散、繰り返し伝送、誤り訂正符号の３パターンが用意されており、適宜選択される。
【００２８】
図４は、スペクトル拡散の伝送フォーマット処理部の構成例を示す。伝送フォーマット処理部１２４，１３２はともに、拡散符号発生器３０１と乗算器（ＮＸＯＲ）３０２により構成される。送信側の伝送フォーマット処理部１２４では、データ信号（ベースバンド信号）を拡散符号で拡散して送信し、受信側の伝送フォーマット処理部１３２では拡散信号を拡散符号で逆拡散してデータ信号を再生する。なお、スペクトル拡散のチップレートは、光トランシーバに設定可能な最大の伝送速度以下に設定される。この伝送フォーマットは、反射等によるクロストークへの耐性向上が期待できる。
【００２９】
データ速度を 125Ｍbit/s とし、チップレートを1250Ｍc/s とした場合の反射に対する特性例を図５に示す。反射レベルが小さい領域では、帯域拡大による雑音電力増大の影響でスペクトル拡散をしない場合よりも受信感度が低いが、反射レベルが大きい領域では受信感度に改善が見られる。また、一般に反射の影響はバーストエラーになるため、スペクトル拡散により反射の影響が改善されない場合がある。この場合には、ベースバンドデータを直並列変換し、各列に対してスペクトル拡散を施すことにより、反射の影響をランダム化して受信感度を改善する。
【００３０】
図６は、繰り返し伝送の伝送フォーマット処理部の構成例を示す。送信側の伝送フォーマット処理部１２４は直並列変換回路３１１、Ｍ個の繰り返し回路３１２、並直列変換回路３１３により構成され、受信側の伝送フォーマット処理部１３２は直並列変換回路３２１、Ｍ個の加算識別回路３２２、並直列変換回路３２３により構成される。
【００３１】
繰り返し伝送は、図６(c) に示すように、同一のベースバンド信号（ここでは５ビット単位）を繰り返し送信し（ここでは４回）、その受信信号の識別値を加算し、その値を閾値判定することにより、ベースバンド信号を再生する。反射の影響がある場合には、マーク側のエラーが顕著であるため、閾値を低めに設定することにより反射の影響を軽減することができる。また、同一ビットをそのまま繰り返すとベースバンドデータと区別がつかず、またクロックデータ再生回路がベースバンドデータに同期してしまうため、複数ビット単位に繰り返す必要がある。
【００３２】
データ速度を 125Ｍbit/s とし、５ビットごとに10回繰り返した場合（伝送速度：1250Ｍbit/s ）の反射に対する特性例を図７に示す。反射レベルが小さい領域では、帯域拡大による雑音電力増大の影響で繰り返し送信しない場合よりも受信感度が低いが、反射レベルが大きい領域では受信感度に改善が見られる。
【００３３】
図８は、誤り訂正符号の伝送フォーマット処理部の構成例を示す。送信側の伝送フォーマット処理部１２４は符号化器３３１により構成され、受信側の伝送フォーマット処理部１３２は復号化器３３２により構成される。
【００３４】
誤り訂正符号は、データ信号（ベースバンド信号）に誤り訂正用のシンボルを不可して伝送し、受信側で処理を行って誤りを訂正する。誤り訂正符号の符号化率は、光トランシーバに設定可能な最大の伝送速度とベースバンド信号の伝送速度の比以下に設定される。本構成では、基本的に「マーク」と「スペース」の誤り訂正能力は同じとなるため、反射そのものに特化したものではないが、その影響を軽減することができる。また、誤り訂正符号は雑音に対しても有効であるので、低ＳＮ比においても有効である。
【００３５】
データ速度を 125Ｍbit/s とし、符号長15、データ長11で２シンボル誤り訂正可能なリードソロモン符号を用いた場合の反射に対する特性例を図９に示す。反射レベルが小さい領域でも、誤り訂正符号による耐雑音性能のために受信感度に改善が見られ、反射レベルが大きい領域でも受信感度に改善が見られる。また、スペクトル拡散の場合と同様に、反射によるバーストエラー対策として、ベースバンドデータを直並列変換し、各列に対して誤り訂正符号化を行うインタリーブは有効である。
【００３６】
（光通信方法の第２の実施形態）
図１(a) に示す光トランシーバ１００は、図３に示すように、対向する光トランシーバ１００との間で伝送速度および伝送フォーマットをネゴシエーションする構成である。一方、図１(b) に示す光トランシーバ１００は、対向する光トランシーバ３００の伝送速度および伝送フォーマットが固定になっている場合に、光トランシーバ３００の伝送速度および伝送フォーマットに合わせる処理を行う。
【００３７】
図１(b) の光トランシーバの構成に基づき、本発明の光通信方法の第２の実施形態（伝送方法設定手順）について、図１０に示すフローチャートを参照して説明する。
【００３８】
対向する光トランシーバ３００から送信され、受光器１１３で光電変換された受信信号は、可変レートクロックデータ再生回路１１４でクロック速度を変えながら同期確立処理が行われる（Ｓ21，Ｓ22，Ｓ23）。同期が確立しない場合は、伝送不可として接続処理を停止する（Ｓ24）。なお、可変レートクロックデータ再生回路１１４にクロック速度認識機構がある場合は、その情報に基づき同期を確立する。同期確立後、クロック速度に対応する伝送速度情報を伝送方法制御回路１５０に伝達する（Ｓ25）。伝送方法制御回路１５０はその伝送速度情報に基づいて受信信号処理回路１３０の切替部１３１を切り替え、伝送フォーマット処理部１３２−１〜１３２−ｍの中からその伝送速度に対応し、かつ伝送フォーマットが異なるものを順次選択し、伝送フォーマットの確認を行う（Ｓ26，Ｓ27，Ｓ28）。伝送フォーマットが確認できない場合は、伝送不可として接続処理を停止する（Ｓ29）
【００３９】
このようにして伝送速度および伝送フォーマットを同定した後に、データフォーマットに関する情報を受信し、これらのフォーマット情報と外部インタフェース１４０から得られるフォーマット情報を照合し、受信信号処理回路１３０の切替部１３３，１３５を切り替え、対応する伝送フォーマット処理部１３２−１〜１３２−ｍの１つとデータフォーマット処理部１３４−１〜１３４−ｎの１つを接続する（Ｓ30）。さらに、送信信号処理回路１２０の切替部１２１，１２３，１２５を受信信号処理回路１３０の切替部１３５，１３３，１３１と同様に切り替え、データフォーマット処理部１２２−１〜１２２−ｎの１つと伝送フォーマット処理部１２４−１〜１２４−ｍの１つを接続し、通信を開始する（Ｓ31，Ｓ32）。
【図面の簡単な説明】
【００４０】
【図１】本発明の光トランシーバの実施形態を示す図。
【図２】物理インタフェース１１０、送信信号処理回路１２０、受信信号処理回路１３０の構成例を示す図。
【図３】本発明の光通信方法の第１の実施形態を示すフローチャート。
【図４】スペクトル拡散の伝送フォーマット処理部の構成例を示す図。
【図５】スペクトル拡散の効果を説明する図。
【図６】繰り返し伝送の伝送フォーマット処理部の構成例を示す図。
【図７】繰り返し伝送の効果を説明する図。
【図８】誤り訂正符号の伝送フォーマット処理部の構成例を示す図。
【図９】誤り訂正符号の効果を説明する図。
【図１０】本発明の光通信方法の第２の実施形態を示すフローチャート。
【符号の説明】
【００４１】
１００，３００  光トランシーバ
１１０  物理インタフェース
１１１  レーザドライバ
１１２  光源
１１３  受光器
１１４  可変レートクロックデータ再生回路
１２０  送信信号処理回路
１２１，１２３，１２５  切替部
１２２  データフォーマット処理部
１２４  伝送フォーマット処理部
１３０  受信受信処理回路
１３１，１３３，１３５  切替部
１３２  伝送フォーマット処理部
１３４  データフォーマット処理部
１４０  外部インタフェース
１５０  伝送方法制御回路
２００  光ファイバ伝送路
３０１  拡散符号発生器
３０２  乗算器（ＮＸＯＲ）
３１１，３２１  直並列変換回路
３１２  繰り返し回路
３１３，３２３  並直列変換回路
３２２  加算識別回路
３３１  符号化器
３３２  復号化器
【図１】
2005229298.tif 000003
【図２】
2005229298.tif 000004
【図３】
2005229298.tif 000005
【図４】
2005229298.tif 000006
【図５】
2005229298.tif 000007
【図６】
2005229298.tif 000008
【図７】
2005229298.tif 000009
【図８】
2005229298.tif 000010
【図９】
2005229298.tif 000011
【図１０】
2005229298.tif 000012